(57)【要約】【課題】簡易な構成により、用紙サイズの変更ごとの煩雑な手間を要することなく用紙の移動方向を案内すること。【解決手段】用紙トレイ１１は、支持板部５１と、複数組の側壁対５２とを有する。前記支持板部５１は、用紙９が載置される面を成す。前記複数組の側壁対５２は、前記支持板部５１と一体に形成され、それぞれ前記用紙９の送出方向Ｄ１に直交する幅方向Ｄ２において異なる間隔で対向し、前記送出方向Ｄ１に沿って平行な一対の段差を成す。前記支持板部５１は、前記支持板部５１における前記送出方向Ｄ１の下流側の端部において、前記複数組の側壁対５２のうち最も前記幅方向の間隔が大きい最広側壁対５２ａの一方から他方に亘って面一に形成された先端縁部５１ｘを含む。【選択図】図２
2020152513.tif 000002
【特許請求の範囲】
【請求項１】
画像形成装置のプリント部へ送出される用紙が載置される用紙トレイであって、
前記用紙が載置される面を成す支持板部と、
前記支持板部と一体に形成され、それぞれ前記用紙の送出方向に直交する幅方向において異なる間隔で対向し、前記送出方向に沿って平行な一対の段差を成す複数組の側壁対と、を有し、
前記支持板部は、前記支持板部における前記送出方向の下流側の端部において、前記複数組の側壁対のうち最も前記幅方向の間隔が大きい最広側壁対の一方から他方に亘って面一に形成された先端縁部を含む、用紙トレイ。
【請求項２】
それぞれ前記複数組の側壁対に連なり、前記送出方向における異なる位置において前記幅方向に沿う段差を成す複数の後端壁をさらに有し、
前記支持板部は、前記複数組の側壁対および前記複数の後端壁によって前記複数組の側壁対ごとに区画され高さの異なる複数の区画部を含み、
前記複数の区画部は、前記幅方向の間隔が小さな前記側壁対に対応するものほど低い、請求項１に記載の用紙トレイ。
【請求項３】
前記複数の区画部のうち最も高い最高区画部が前記先端縁部と面一に形成されており、
前記複数組の側壁対は、前記幅方向の間隔が大きいものから順に、前記用紙トレイにおける前記送出方向の下流側の端に近い位置から遠い位置へずれた位置に形成されており、
前記支持板部は、前記複数の区画部のうち前記最高区画部を除く残りの１つ以上の他の区画部から前記先端縁部まで前記送出方向において傾斜した１つ以上の傾斜部をさらに有する、請求項２に記載の用紙トレイ。
【請求項４】
前記支持板部は、
前記先端縁部を含み前記先端縁部と面一に形成された下段部と、
前記下段部よりも高い上段部と、を有し、
前記複数組の側壁対は、前記幅方向の間隔が大きいものから順に、前記用紙トレイにおける前記送出方向の下流側の端に近い位置から遠い位置へずれた位置に形成されており、
前記複数組の側壁対は、前記下段部と前記上段部とを繋ぐ段差を形成している、請求項１に記載の用紙トレイ。
【請求項５】
前記支持板部は、前記複数組の側壁対のうち最も前記幅方向の間隔が大きい最広側壁対を除く１組以上の他の側壁対の両外側に一対に形成され前記上段部から前記下段部まで前記送出方向において傾斜した１組以上の傾斜部対をさらに有する、請求項４に記載の用紙トレイ。
【請求項６】
請求項１から請求項５のいずれか１項に記載の用紙トレイと、
前記用紙トレイから前記用紙を送り出し、さらに搬送する用紙搬送装置と、
前記用紙搬送装置により搬送される前記用紙に画像を形成するプリント部と、を備える画像形成装置。
【発明の詳細な説明】
【技術分野】
【０００１】
本発明は、用紙トレイおよびそれを備える画像形成装置に関する。
【背景技術】
【０００２】
画像形成装置は、複数の用紙サイズに対応した用紙トレイを備える。例えば、前記用紙トレイが、幅方向にスライド可能な一対のカーソルを備えることが知られている（例えば、特許文献１参照）。
【０００３】
前記一対のカーソルは、前記用紙の両側辺に沿って位置決めされ、前記用紙トレイから送出される前記用紙の移動を案内する用紙ガイドである。
【先行技術文献】
【特許文献】
【０００４】
【特許文献１】特開２００３−５４７８９号公報
【発明の概要】
【発明が解決しようとする課題】
【０００５】
ところで、前記用紙トレイに載置される用紙のサイズが変更されるごとに、前記一対のカーソルの位置を調節する操作を行うことは煩雑である。また、前記用紙トレイがより簡易な構成により実現されることが望ましい。
【０００６】
本発明の目的は、簡易な構成により、用紙サイズの変更ごとの煩雑な手間を要することなく用紙の移動方向を案内できる用紙トレイおよびそれを備える画像形成装置を提供することにある。
【課題を解決するための手段】
【０００７】
本発明の一の局面に係る用紙トレイは、画像形成装置のプリント部へ送出される用紙が載置されるトレイである。前記用紙トレイは、支持板部と、複数組の側壁対とを有する。前記支持板部は、前記用紙が載置される面を成す。前記複数組の側壁対は、前記支持板部と一体に形成され、それぞれ前記用紙の送出方向に直交する幅方向において異なる間隔で対向し、前記送出方向に沿って平行な一対の段差を成す。前記支持板部は、前記支持板部における前記送出方向の下流側の端部において、前記複数組の側壁対のうち最も前記幅方向の間隔が大きい最広側壁対の一方から他方に亘って面一に形成された先端縁部を含む。
【０００８】
本発明の他の局面に係る画像形成装置は、前記用紙トレイと、前記用紙トレイから前記用紙を送り出し搬送する用紙搬送装置と、前記用紙搬送装置により搬送される前記用紙に画像を形成するプリント部と、を備える。
【発明の効果】
【０００９】
本発明によれば、簡易な構成により、用紙サイズの変更ごとの煩雑な手間を要することなく用紙の移動方向を案内できる用紙トレイおよびそれを備える画像形成装置を提供することが可能になる。
【図面の簡単な説明】
【００１０】
【図１】図１は、実施形態に係る画像形成装置の構成図である。
【図２】図２は、実施形態に係る画像形成装置が備える第１用紙トレイの斜視図である。
【図３】図３は、用紙が載置された第１用紙トレイの斜視図である。
【図４】図４は、実施形態に係る画像形成装置が備える第２用紙トレイの斜視図である。
【図５】図５は、小サイズ用紙が載置された第２用紙トレイの斜視図である。
【図６】図６は、中サイズ用紙が載置された第２用紙トレイの斜視図である。
【発明を実施するための形態】
【００１１】
以下、図面を参照しながら、本発明の実施形態について説明する。なお、以下の実施形態は、本発明を具体化した一例であって、本発明の技術的範囲を限定するものではない。
【００１２】
［画像形成装置１０の構成］
実施形態に係る画像形成装置１０は、第１用紙トレイ１１、第２用紙トレイ１３、用紙搬送装置３およびプリント部４を備える。用紙搬送装置３およびプリント部４は、筐体である本体部１００に収容されている。
【００１３】
第１用紙トレイ１１および第２用紙トレイ１３は、プリント部４へ送出される用紙９が載置されるトレイである。以下の説明において、第１用紙トレイ１１および第２用紙トレイ１３それぞれにおいて用紙９が送り出される方向を送出方向Ｄ１と称する。
【００１４】
また、第１用紙トレイ１１における送出方向Ｄ１の下流側の端部のことを第１先端部１１ａと称し、第２用紙トレイ１３における送出方向Ｄ１の下流側の端部のことを第２先端部１３ａと称する。
【００１５】
第１用紙トレイ１１は、本体部１００に対して引き出し可能に装着された給紙カセット２の一部である。給紙カセット２は、第１用紙トレイ１１と、リフト機構１２とを備える。
【００１６】
リフト機構１２は、第１用紙トレイ１１を回動可能に支持する第１支持軸１２１を有する。これにより、リフト機構１２は、第１用紙トレイ１１を予め定められた作動位置と、前記作動位置よりも第１先端部１１ａが下方に位置する退避位置との間で変位可能に支持する。さらに、リフト機構１２は、第１用紙トレイ１１を前記作動位置に向けて弾性付勢する付勢部材１２２を有する。
【００１７】
第１用紙トレイ１１は、前記作動位置において、第１先端部１１ａが斜め上方を向く傾斜姿勢に保持される。第１用紙トレイ１１は、用紙９が補給されるときに前記退避位置へ押し下げられる。また、給紙カセット２が本体部１００に装着されているときに、リフト機構１２が、第１用紙トレイ１１を前記作動位置に保持する。
【００１８】
第２用紙トレイ１３は、いわゆる手差しトレイである。第２用紙トレイ１３は、第２支持軸１３０によって回動可能に支持されている。これにより、第２用紙トレイ１３は、本体部１００にその側面に沿って収納される収納位置と、本体部１００から外側へ張り出した使用位置との間で変位可能である。第２用紙トレイ１３は、前記使用位置において第２先端部１３ａが斜め下方を向く傾斜姿勢に保持される。
【００１９】
用紙搬送装置３は、第１用紙トレイ１１および第２用紙トレイ１３のうち予め選択された一方から本体部１００内の搬送路３００へ用紙９を送り出す。さらに、用紙搬送装置３は、用紙９を搬送路３００に沿って搬送する。
【００２０】
用紙搬送装置３は、用紙９を第１用紙トレイ１１から搬送路３００へ送出する第１給紙機構３１と、用紙９を第２用紙トレイ１３から搬送路３００へ送出する第２給紙機構３２とを備える。
【００２１】
第１給紙機構３１は、第１用紙トレイ１１上の最上位の用紙９をピックアップする第１ピックアップローラー３１１と、ピックアップされた用紙９を後段へ送り出す第１フィードローラー３１２と、第１フィードローラー３１２に対向して配置された第１リタードドーラ-３１３とを備える。第１リタードローラー３１３は、用紙９の重送を防ぐ。
【００２２】
同様に、第２給紙機構３２は、第２用紙トレイ１３上の最上位の用紙９をピックアップする第２ピックアップローラー３２１と、ピックアップされた用紙９を後段へ送り出す第２フィードローラー３２２と、第２フィードローラー３２２に対向して配置された第２リタードドーラ-３２３とを備える。第２リタードローラー３２３は、用紙９の重送を防ぐ。
【００２３】
さらに、用紙搬送装置３は、複数組の搬送ローラー対３３を備える。複数組の搬送ローラー対３３は、用紙９を搬送路３００に沿って搬送し、さらに搬送路３００から排紙トレイ１０１へ用紙９を排出する。
【００２４】
プリント部４は、用紙搬送装置３により搬送される用紙９に画像を形成する。図１に示される例では、プリント部４は、電子写真方式で用紙９に画像を形成する。
【００２５】
従って、プリント部４は、光走査ユニット４０、感光体４１、帯電装置４２、現像装置４３、転写装置４５、クリーニング装置４６および定着装置４７などを備える。
【００２６】
ドラム状の感光体４１が回転し、帯電装置４２が感光体４１の表面を帯電させる。光走査ユニット４０が、帯電した感光体４１の表面にビーム光を走査することにより、感光体４１の表面に静電潜像を書き込む。
【００２７】
帯電装置４２および光走査ユニット４０の作用により、プリント対象の画像データに基づく前記静電潜像が、感光体４１の表面に形成される。
【００２８】
現像装置４３は、前記静電潜像が形成された感光体４１にトナー９０を供給することにより、前記静電潜像をトナー像へ現像する。前記静電潜像が現像されることにより、感光体４１は、前記トナー像を担持して回転する。なお、感光体４１は像担持体の一例である。
【００２９】
転写装置４５は、搬送路３００に沿って搬送される用紙９に、感光体４１上の前記トナー像を転写する。定着装置４７は、用紙９に転写された前記トナー像を加熱しつつ加圧する。これにより、前記トナー像が用紙９に定着する。
【００３０】
なお、プリント部４が、例えばインクジェット方式など他の方式で用紙９に画像を形成する装置であってもよい。
【００３１】
ところで、仮に第１用紙トレイ１１または第２用紙トレイ１３が、幅方向にスライド可能な一対のカーソルを備える場合、用紙９のサイズが変更されるごとに、前記一対のカーソルの位置を調節する操作を行う必要がある。
【００３２】
しかしながら、第１用紙トレイ１１または第２用紙トレイ１３に載置される用紙９のサイズが変更されるごとに、前記一対のカーソルの位置を調節する操作を行うことは煩雑である。また、第１用紙トレイ１１および第２用紙トレイ１３がより簡易な構成により実現されることが望ましい。
【００３３】
後述するように、第１用紙トレイ１１および第２用紙トレイ１３は、簡易な構成により実現されている。さらに、第１用紙トレイ１１および第２用紙トレイ１３は、用紙サイズの変更ごとの煩雑な手間を要することなく用紙９の移動方向を案内できる。
【００３４】
［第１用紙トレイ１１］
以下、図２，３を参照しつつ、第１用紙トレイ１１について説明する。第１用紙トレイ１１は、合成樹脂の成形部材である。
【００３５】
第１用紙トレイ１１は、支持板部５１および複数組の側壁対５２を有する。さらに、第１用紙トレイ１１は、複数の後端壁５３も有する。
【００３６】
支持板部５１、複数組の側壁対５２および複数の後端壁５３は、合成樹脂の一体の部材である。即ち、支持板部５１、複数組の側壁対５２および複数の後端壁５３は、一体に形成されている。
【００３７】
支持板部５１は、用紙９が載置される面を成す部分である。複数組の側壁対５２は、それぞれ送出方向Ｄ１に直交する幅方向Ｄ２において異なる間隔で対向している。複数組の側壁対５２は、それぞれ送出方向Ｄ１に沿って平行な一対の段差を成している。
【００３８】
なお、図２から図６において、送出方向Ｄ１と幅方向Ｄ２と厚み方向Ｄ３とが矢印で示されている。厚み方向Ｄ３は、送出方向Ｄ１および幅方向Ｄ２に直交する方向である。
【００３９】
複数組の側壁対５２は、予め定められた複数の用紙サイズに対応した間隔で対向している。具体的には、前記複数組の側壁対５２は、Ａ列またはＢ列などの用紙サイズの規格における複数種類の用紙幅に対応した間隔で対向している。
【００４０】
側壁対５２各々は、対応するサイズの用紙９が支持板部５１上に載置されたときに、用紙９の幅方向Ｄ２の両端の辺に沿う部分である。側壁対５２各々は、第１用紙トレイ１１から送出される用紙９の移動を送出方向Ｄ１に沿って案内する用紙ガイドである。
【００４１】
図２に示される例では、第１用紙トレイ１１は、３組の側壁対５２を有する。３組の側壁対５２のうち、最も幅方向Ｄ２の間隔が大きいものを最広側壁対５２ａと称し、最も幅方向Ｄ２の間隔が小さいものを最狭側壁対５２ｃと称し、残りの１組を中幅側壁対５２ｂと称する。
【００４２】
図３は、中幅側壁対５２ｂに対応するサイズの用紙９が載置された第１用紙トレイ１１を示す。なお、第１用紙トレイ１１が、２組の側壁対５２または４組以上の側壁対５２を有することも考えられる。
【００４３】
支持板部５１は、支持板部５１における送出方向Ｄ１の下流側の端部において、最広側壁対５２ａの一方から他方に亘って面一に形成された先端縁部５１ｘを含む。第１用紙トレイ１１が給紙カセット２内で前記作動位置に位置する状態において、第１給紙機構３１のピックアップローラーが、先端縁部５１ｘとの間に用紙９を挟み込む。第１用紙トレイ１１は、リフト機構１２によって前記作動位置に保持される。
【００４４】
複数の後端壁５３は、それぞれ複数組の側壁対５２に連なり、送出方向Ｄ１における異なる位置において幅方向Ｄ２に沿う段差を成している。即ち、第１用紙トレイ１１は、側壁対５２と同数の後端壁５３を有する。
【００４５】
図２に示される例において、第１用紙トレイ１１は、３つの後端壁５３を有する。３つの後端壁５３は、最広側壁対５２ａに対応する最広後端壁５３ａと、中幅側壁対５２ｂに対応する中幅後端壁５３ｂと、最狭側壁対５２ｃに対応する最狭後端壁５３ｃとを含む。
【００４６】
図２に示される例では、複数の後端壁５３は、幅方向Ｄ２の間隔が小さな側壁対５２に対応するものほど送出方向Ｄ１の下流側の位置に形成されている。
【００４７】
後端壁５３各々は、対応するサイズの用紙９が支持板部５１上に載置されたときに、用紙９の送出方向Ｄ１の上流側の端に沿う部分である。後端壁５３各々は、第１用紙トレイ１１が前記作動位置に存在するときに、用紙９が送出方向Ｄ１の上流側へずれ落ちることを防ぐ。
【００４８】
支持板部５１は、複数組の側壁対５２および複数の後端壁５３によって複数組の側壁対５２ごとに区画され高さの異なる複数の区画部５１０を含む。複数の区画部５１０は、幅方向Ｄ２の間隔が小さな側壁対５２に対応するものほど低い。
【００４９】
図２に示される例において、複数の区画部５１０は、最広側壁対５２ａに対応する第１区画部５１０ａと、中幅側壁対５２ｂに対応する第２区画部５１０ｂと、最狭側壁対５２ｃに対応する第３区画部５１０ｃとを含む。
【００５０】
複数の区画部５１０のうち最も高い第１区画部５１０ａが先端縁部５１ｘと面一に形成されている。なお、第１区画部５１０ａは、最高区画部の一例である。
【００５１】
複数組の側壁対５２は、幅方向Ｄ２の間隔が大きいものから順に、第１用紙トレイ１１の第１先端部１１ａに近い位置から遠い位置へずれた位置に形成されている。換言すれば、幅方向Ｄ２の間隔が小さい側壁対５２ほど、側壁対５２の送出方向Ｄ１の端の位置が第１用紙トレイ１１の第１先端部１１ａから遠い。
【００５２】
支持板部５１は、１つ以上の傾斜部５１１をさらに有する。傾斜部５１１は、複数の区画部５１０のうち第１区画部５１０ａを除く残りの１つ以上の他の区画部５１０ｂ，５１０ｃから先端縁部５１ｘまで送出方向Ｄ１において傾斜した部分である。
【００５３】
本実施形態において、傾斜部５１１は、一対の側方傾斜部５１１ａと、中央傾斜部５１１ｂとを含む。一対の側方傾斜部５１１ａは、第２区画部５１０ｂにおける幅方向Ｄ２の両端部から先端縁部５１ｘへ向かって上方へ傾斜して形成されている。中央傾斜部５１１ｂは、第３区画部５１０ｃから先端縁部５１ｘへ向かって上方へ傾斜して形成されている。
【００５４】
傾斜部５１１は、用紙９が区画部５１０上の部分と先端縁部５１ｘ上の部分との間において緩やかに湾曲するように用紙９を支える。
【００５５】
第１用紙トレイ１１は、比較的単純な構造の金型を用いた射出成形により製造可能な簡易な構成を有する。さらに、第１用紙トレイ１１は、用紙サイズの変更ごとの煩雑な手間を要することなく用紙９の移動方向を案内できる。
【００５６】
また、第１用紙トレイ１１は、複数の用紙サイズに対応する複数の後端壁５３を有する。そのため、第１用紙トレイ１１は、給紙カセット２のように第１先端部１１ａが上方を向く傾斜姿勢で使用される場合に好適である。
【００５７】
［第２用紙トレイ１３］
続いて、図４〜６を参照しつつ、第２用紙トレイ１３について説明する。第２用紙トレイ１３も、第１用紙トレイ１１と同様に、合成樹脂の成形部材である。
【００５８】
第２用紙トレイ１３は、支持板部６１および複数組の側壁対６２を有する。さらに、第２用紙トレイ１３は、１つの後端壁６３も有する。
【００５９】
支持板部６１、複数組の側壁対６２および後端壁６３は、合成樹脂の一体の部材である。即ち、支持板部６１、複数組の側壁対６２および後端壁６３は、一体に形成されている。
【００６０】
支持板部６１は、用紙９が載置される面を成す部分である。複数組の側壁対６２は、それぞれ幅方向Ｄ２において異なる間隔で対向している。複数組の側壁対６２は、それぞれ送出方向Ｄ１に沿って平行な一対の段差を成している。
【００６１】
複数組の側壁対６２は、予め定められた複数の用紙サイズに対応した間隔で対向している。具体的には、前記複数組の側壁対６２は、Ａ列またはＢ列などの用紙サイズの規格における複数種類の用紙幅に対応した間隔で対向している。
【００６２】
側壁対６２各々は、対応するサイズの用紙９が支持板部６１上に載置されたときに、用紙９の幅方向Ｄ２の両端の辺に沿う部分である。側壁対６２各々は、第２用紙トレイ１３から送出される用紙９の移動を送出方向Ｄ１に沿って案内する用紙ガイドである。
【００６３】
図４に示される例では、第２用紙トレイ１３は、３組の側壁対６２を有する。３組の側壁対５２のうち、最も幅方向Ｄ２の間隔が大きいものを最広側壁対６２ａと称し、最も幅方向Ｄ２の間隔が小さいものを最狭側壁対６２ｃと称し、残りの１組を中幅側壁対６２ｂと称する。
【００６４】
図５は、最狭側壁対６２ｃに対応するサイズの用紙９が載置された第２用紙トレイ１３を示す。図６は、中幅側壁対６２ｂに対応するサイズの用紙９が載置された第２用紙トレイ１３を示す。なお、第２用紙トレイ１３が、２組の側壁対６２または４組以上の側壁対６２を有することも考えられる。
【００６５】
支持板部６１は、支持板部６１における送出方向Ｄ１の下流側の端部において、最広側壁対６２ａの一方から他方に亘って面一に形成された先端縁部６１ｘを含む。第２用紙トレイ１３が前記使用位置に位置する状態において、第２給紙機構３２のピックアップローラーが、先端縁部６１ｘとの間に用紙９を挟み込む。
【００６６】
後端壁６３は、最狭側壁対６２ｃに連なり、幅方向Ｄ２に沿う段差を成している。後端壁６３は、最狭側壁対６２ｃに対応するサイズの用紙９における送出方向Ｄ１の長さに対応する位置に形成されている。
【００６７】
後端壁６３は、最狭側壁対６２ｃに対応するサイズの用紙９が支持板部５１上に載置されたときに、用紙９の送出方向Ｄ１の上流側の端に沿う部分である。なお、後端壁６３が形成されていなくてもよい。
【００６８】
前述したように、第２用紙トレイ１３は、第２先端部１３ａが下方に向く傾斜状態で使用される。そのため、第２用紙トレイ１３上の用紙９は、自重によって第２先端部１３ａ側へ寄る。そのため、第２用紙トレイ１３は、用紙９が送出方向Ｄ１の上流側へ移動することを制限するための構造を必要としない。
【００６９】
支持板部６１は、先端縁部６１ｘを含む下段部６１ａと、下段部６１ａよりも高い上段部６１ｂとを有する。下段部６１ａは、先端縁部６１ｘと面一に形成されている。
【００７０】
複数組の側壁対６２は、幅方向Ｄ２の間隔が大きいものから順に、第２用紙トレイ１３の第２先端部１３ａに近い位置から遠い位置へずれた位置に形成されている。換言すれば、幅方向Ｄ２の間隔が小さい側壁対６２ほど、側壁対６２の送出方向Ｄ１の端の位置が第２用紙トレイ１３の第２先端部１３ａから遠い。
【００７１】
複数組の側壁対６２は、下段部６１ａと上段部６１ｂとを繋ぐ段差を形成している。
【００７２】
支持板部６１は、１組以上の傾斜部対６１１をさらに有する。傾斜部対６１１は、複数組の側壁対６２のうち最広側壁対６２ａを除く１組以上の他の側壁対６２ｂ，６２ｃの両外側に一対に形成されている。傾斜部対６１１は、それぞれ上段部６１ｂから下段部６１ａまで送出方向Ｄ１において傾斜している。
【００７３】
本実施形態において、傾斜部対６１１は、第１傾斜部対６１１ａおよび第２傾斜部対６１１ｂを含む。第１傾斜部対６１１ａは、中幅側壁対６２ｂに対し幅方向Ｄ２の両側において、上段部６１ｂから下段部６１ａへ向かって下方へ傾斜して形成されている。第２傾斜部対６１１ｂは、最狭側壁対６２ｃに対し幅方向Ｄ２の両側において、上段部６１ｂから下段部６１ａへ向かって下方へ傾斜して形成されている。
【００７４】
傾斜部対６１１は、用紙９が上段部６１ｂ上の部分と下段部６１ａ上の部分との間において緩やかに湾曲するように用紙９を支える。
【００７５】
第２用紙トレイ１３は、比較的単純な構造の金型を用いた射出成形により製造可能な簡易な構成を有する。さらに、第２用紙トレイ１３は、用紙サイズの変更ごとの煩雑な手間を要することなく用紙９の移動方向を案内できる。
【００７６】
また、複数組の側壁対６２は、それらに共通の下段部６１ａから起立して形成されているため、第２用紙トレイ１３の厚みが薄い。従って、第２用紙トレイ１３を狭いスペースに配置することができる。
【００７７】
また、許容されるスペースの制約条件の下で、背の高い側壁対６２を採用することができる。従って、多くの用紙９を第２用紙トレイ１３に載置することができる。
【符号の説明】
【００７８】
２        ：給紙カセット
３        ：用紙搬送装置
４        ：プリント部
９        ：用紙
１０      ：画像形成装置
１１      ：第１用紙トレイ
１１ａ    ：第１先端部
１２      ：リフト機構
１３      ：第２用紙トレイ
１３ａ    ：第２先端部
３１      ：第１給紙機構
３２      ：第２給紙機構
３３      ：搬送ローラー対
４０      ：光走査ユニット
４１      ：感光体
４２      ：帯電装置
４３      ：現像装置
４５      ：転写装置
４６      ：クリーニング装置
４７      ：定着装置
５１      ：支持板部
５１ｘ    ：先端縁部
５２      ：側壁対
５２ａ    ：最広側壁対
５２ｂ    ：中幅側壁対
５２ｃ    ：最狭側壁対
５３      ：後端壁
５３ａ    ：最広後端壁
５３ｂ    ：中幅後端壁
５３ｃ    ：最狭後端壁
６１      ：支持板部
６１ａ    ：下段部
６１ｂ    ：上段部
６１ｘ    ：先端縁部
６２      ：側壁対
６２ａ    ：最広側壁対
６２ｂ    ：中幅側壁対
６２ｃ    ：最狭側壁対
６３      ：後端壁
９０      ：トナー
１００    ：本体部
１０１    ：排紙トレイ
３００    ：搬送路
５１０    ：区画部
５１０ａ  ：第１区画部
５１０ｂ  ：第２区画部
５１０ｃ  ：第３区画部
５１１    ：傾斜部
５１１ａ  ：側方傾斜部
５１１ｂ  ：中央傾斜部
６１１    ：傾斜部対
６１１ａ  ：第１傾斜部対
６１１ｂ  ：第２傾斜部対
Ｄ１      ：送出方向
Ｄ２      ：幅方向
Ｄ３      ：厚み方向
【図１】
2020152513.tif 000003
【図２】
2020152513.tif 000004
【図３】
2020152513.tif 000005
【図４】
2020152513.tif 000006
【図５】
2020152513.tif 000007
【図６】
2020152513.tif 000008